(57)【要約】【課題】一つの付加光源の光を、上下拡散のための光と左右拡散のための光を、それぞれ、別の経路で照射することによって、それぞれに所望の拡散角を得られるようにすることを課題とする。【解決手段】光源４０と、前記光源の光を反射させるリフレクタ２０と、前記リフレクタで反射された前記光源の光を前方へ投影する投影レンズ１０とを備えたプロジェクター型の車輌用前照灯の灯具ユニット１において、クリアランスランプ用の付加光源７２と、前記付加光源と前記投影レンズとの間に位置し、付加光源からの光を投影レンズへ向けて偏向する上下拡散レンズ７４と、付加光源からの光を左右方向に拡散して投影レンズを介さずに前方へ照射する左右拡散レンズ７５とを備えた。【選択図】図２
2008251244.tif 000002
【特許請求の範囲】
【請求項１】
光源と、前記光源の光を反射させるリフレクタと、前記リフレクタで反射された前記光源の光を前方へ投影する投影レンズとを備えたプロジェクター型の車輌用前照灯の灯具ユニットにおいて、
クリアランスランプ用の付加光源と、
前記付加光源と前記投影レンズとの間に位置し、付加光源からの光を投影レンズへ向けて偏向する上下拡散レンズと、
付加光源からの光を左右方向に拡散して投影レンズを介さずに前方へ照射する左右拡散レンズとを備えた
ことを特徴とする車輌用前照灯の灯具ユニット。
【請求項２】
前記付加光源は前記投影レンズの後方焦点の下方に配置され、
前記左右拡散レンズは前記投影レンズの下方に配置され、
前記付加光源の光を前記拡散レンズに向けて反射する付加リフレクタを備えた
ことを特徴とする請求項１に記載の車輌用前照灯の灯具ユニット。
【発明の詳細な説明】
【技術分野】
【０００１】
本発明は新規な車輌用前照灯の灯具ユニットに関する。詳しくは、車輌用前照灯の灯具ユニットにクリアランスランプを一体的に組み込む技術に関する。
【背景技術】
【０００２】
車輌、例えば、自動車において、前面に配置する灯具として前照灯及び標識灯の他にクリアランスランプの配置が義務づけられている。
【０００３】
車輌の前面に前照灯の他にクリアランスランプを配置することは、車輌の前面のスペース上やデザイン上の問題から、また、車輌の部品の個数が増えるという問題から、クリアランスランプを他の灯具に一体に組み組む試みが為されている。例えば、特許文献１や特許文献２に示されるように、前照灯にクリアランスランプを一体に組み込む試みが為されている。
【０００４】
特許文献１に記載された車輌用前照灯は、クリアランスランプ用の付加光源の光を投影レンズを介して前方へ照射するものである。
【０００５】
ところで、クリアランスランプは広範囲から視認することが求められており、付加光源の光を上下及び左右の広範囲に拡散照射する必要がある。ところが、特許文献１に記載された車輌用前照灯にあっては、付加光源の光を直接投影レンズに入射させ、これを前方へ照射するものであるので、所望の拡散照射を行うのが困難である。
【０００６】
それに対し、特許文献２に記載された車輌用前照灯にあっては、拡散レンズを採用して、クリアランスランプ用の付加光源の光を左右及び上下に拡散している。これによって、特許文献１に記載された車輌用前照灯よりは、所望の拡散照射を得るのが容易である。
【０００７】
【特許文献１】特開平４−４３５０１号公報
【特許文献２】特開２００６−８６０６２号公報
【発明の開示】
【発明が解決しようとする課題】
【０００８】
ところで、前記した特許文献２に示された前照灯にあっても、拡散レンズを使用して付加光源の光を拡散させてはいるが、最終的に、投影レンズを透過して照射するので、上下方向の拡散と左右方向の拡散を個別に制御することができず、また、投影レンズは元々集光性を有しているレンズであるので、クリアランスランプに要求されている拡散角、特に、左右方向への拡散角を得るのが難しい。
【０００９】
本発明は、上記した問題に鑑みて、一つの付加光源の光を、上下拡散のための光と左右拡散のための光を、それぞれ、別の経路で照射することによって、それぞれに所望の拡散角を得られるようにすることを課題とする。
【課題を解決するための手段】
【００１０】
本発明車輌用前照灯の灯具ユニットは、上記した課題を解決するために、光源と、前記光源の光を反射させるリフレクタと、前記リフレクタで反射された前記光源の光を前方へ投影する投影レンズとを備えたプロジェクター型の車輌用前照灯の灯具ユニットにおいて、クリアランスランプ用の付加光源と、前記付加光源と前記投影レンズとの間に位置し、付加光源からの光を投影レンズへ向けて偏向する上下拡散レンズと、付加光源からの光を左右方向に拡散して投影レンズを介さずに前方へ照射する左右拡散レンズとを備えたものである。
【００１１】
従って、本発明車輌用前照灯の灯具ユニットにあっては、クリアランスランプとして必要な拡散照射を行うことができる。
【発明の効果】
【００１２】
本発明車輌用前照灯の灯具ユニットは、光源と、前記光源の光を反射させるリフレクタと、前記リフレクタで反射された前記光源の光を前方へ投影する投影レンズとを備えたプロジェクター型の車輌用前照灯の灯具ユニットにおいて、クリアランスランプ用の付加光源と、前記付加光源と前記投影レンズとの間に位置し、付加光源からの光を投影レンズへ向けて偏向する上下拡散レンズと、付加光源からの光を左右方向に拡散して投影レンズを介さずに前方へ照射する左右拡散レンズとを備えたことを特徴とする。
【００１３】
従って、本発明車輌用前照灯の灯具ユニットにあっては、左右方向に比較してそれほど大きな拡散角を必要としない上下方向への拡散光は付加光源の光を上下拡散レンズ及び投影レンズを介して前方へ照射し、大きな拡散角を必要とする左右方向への拡散光は付加光源の光を左右拡散レンズで左右方向へ拡散した後投影レンズを介さずに前方へ照射するので、左右方向及び上下方向へクリアランスランプとして必要な拡散角を得ることが容易になる。
【００１４】
請求項２に記載された発明にあっては、前記付加光源は前記投影レンズの後方焦点の下方に配置され、前記左右拡散レンズは前記投影レンズの下方に配置され、前記付加光源の光を前記拡散レンズに向けて反射する付加リフレクタを備えたので、スペースの有効活用が可能である。すなわち、プロジェクター型灯具ユニットにあっては、リフレクタのほぼ光源より上の部分で反射された光を利用するため、光源より下側の部分がデッドスペースとなる。この発明にあっては、このデッドスペースとなる部分を利用して付加光源を配置するので、付加光源のためのスペースを別途設ける必要がない。また、投影レンズの下側のスペースを利用して左右拡散レンズを配置するので、ここでもスペースの無駄を省くことができる。しかも、投影レンズは中央部が前方へ突出しているので、投影レンズより下方を通る光を上方へ拡散させることは難しいが、左右方向へ拡散することは可能である。
【発明を実施するための最良の形態】
【００１５】
以下に、本発明車輌用前照灯の灯具ユニットを実施するための最良の形態について図面を参照して説明する。なお、図示した実施の形態は本発明を自動車用前照灯の灯具ユニット、特に、自動車前面の前方に向かって右側に搭載される前照灯の灯具ユニットに適用したものである。
【００１６】
自動車用前照灯の灯具ユニット１は、いわゆるプロジェクター型の灯具ユニットである。すなわち、投影レンズ１０の後側焦点近傍に集光した光を該投影レンズによって前方へ照射するように構成され、投影レンズの後側焦点近傍に光源の光を集光反射させるリフレクタ２０と該リフレクタによって集光された光の一部を遮光するシェード３０を備えるものである。このような灯具ユニット１が単体で、又は、他の灯具ユニットと共にハウジング内に収容され、且つ、その前面側がカバーガラスで覆われて自動車用前照灯が構成される。
【００１７】
投影レンズ１０は後面１１が平面で前面１２が前方へ凸のほぼ凸球面を為している。
【００１８】
リフレクタ２０は、メインリフレクタ２１とサブリフレクタ２２とから成る。メインリフレクタ２１は前記投影レンズ１０の後面１１に対向した反射面２１ａを有しており、光源４０の光を反射して所定の集光領域に集光させる。サブリフレクタ２２はメインリフレクタ２１の反射面２１ａに対向した２つの反射面２２ａ、２２ｂを有する。そして、これら２つの反射面２２ａ、２２ｂは光源４０の光をメインリフレクタ２１の反射面へ向けて反射する。そして、反射面２２ａ、２２ｂによる反射光は光源４０の近傍を通って反射面２１ａへ向かうようになっているため、その光はメイン反射面２１の反射面２１ａによって前記した集光領域に集光される。
【００１９】
前記リフレクタ２０の前側にはレンズ保持枠５０が配置され、該レンズ保持枠５０の前端に前記投影レンズ１０が保持される。レンズ保持枠５０の下面部５１は前端から後方へ向かってサブリフレクタ２２の上端近傍に向かって斜め上方へ延びており、該下面部５１の後端部が前記シェード３０となっている。そして、シェード３０の上端縁３１が配光の上縁を限定するカットオフ形成縁となっており、該カットオフ形成縁３１の左右方向におけるほぼ中央近傍に前記投影レンズ１０の後側焦点が位置している。また、前記リフレクタ２０による集光領域も投影レンズ１０の後側焦点の近傍に位置している。なお、前記下面部５１の中間部分にはレンズ取付孔５２が開設されている。
【００２０】
従って、光源４０からメインリフレクタ２１に向かった光は反射面２１ａで反射されてシェード３０のカットオフ形成縁３１近傍に集光し、また、光源４０からサブリフレクタ２２に向かった光は反射面２２ａ、２２ｂで反射されてメインリフレクタ２１に向かい、そこで、反射面２１ａによって反射されてシェード３０のカットオフ形成縁３１近傍に集光する。そして、該集光した光の下側の部分がシェード３０によって遮光され、残りの光が投影レンズ１０によって前方へ反転照射される。これによって、上縁がカットオフ縁によって限定されたビームが照射される。
【００２１】
なお、前記投影レンズ１０、リフレクタ２０、シェード３０、光源４０等から成るプロジェクター部の前面を覆う化粧枠６０が設けられ、該化粧枠６０のほぼ中央部に開設された臨ませ孔６１から投影レンズ１０が前方へ臨んでいる。
【００２２】
前記したように、レンズ保持枠５０の下面部５１は前端から後方へ向かってサブリフレクタ２２の上端近傍に向かって斜め上方へ延びているので、この下面部５１の下側に大きな空間が形成され、該空間にクリアランスランプ部７０が構成される。
【００２３】
なお、光源４０の具体的図示は省略してあるが、例えば、長軸を有するガラス外囲器内に発光部を有する白熱ランプや放電ランプであり、リフレクタ２０に対して、横方向から、すなわち、車輌の幅方向から、且つ、レンズ光軸（投影レンズ１０の中心とカットオフ形成縁３１とを結んだ線の下方に挿入固定される、いわゆる、横差しタイプのものである。
【００２４】
前記化粧枠６０の下面部６２の後端から後方に延びる光源配置部７１が形成され、該光源配置部７１の上面に付加光源として発光ダイオード（以下、「ＬＥＤ」という）７２が配置されている。
【００２５】
前記サブリフレクタ２２の前側にクリアランスランプ用の付加リフレクタ７３が配置されている。該付加リフレクタ７３の下端部７３ａは左右拡散用部分であり、該左右拡散用部分７３ａは水平断面では前記ＬＥＤ７２の位置をほぼ焦点とする放物面を成し、垂直断面では前記化粧枠６０とＬＥＤ７２との間の位置でＬＥＤ７２からの光を集光させる形状の面となっている。また、付加リフレクタ７３の上端部７３ｂは上下拡散用部分となっている。
【００２６】
前記レンズ保持枠５０の下面部５１に形成されたレンズ取付孔５２には前記ＬＥＤ７２からの直射光及び付加リフレクタ７３の上下拡散用部分７３ｂで反射されたＬＥＤ７２の光を投影レンズ１０の後面１１に向けて偏向させるためのフレネルステップ７４ａ、７４ａ、・・・が形成された上下拡散レンズ７４が取り付けられている。また、前記化粧枠６０の前面部６３のうち投影レンズ１０の下方に位置する部分に形成されたレンズ取付孔６４には前記付加リフレクタ７３の左右拡散用部分７３ａで反射されたＬＥＤ７２の光を左右方向で拡散して前方へ透過させるシリンドリカルステップ７５ａ、７５ａ・・・が垂直方向に延びて形成された左右拡散レンズ７５が取り付けられている。
【００２７】
クリアランスランプ部７０において、ＬＥＤ７２が点灯すると、その光のうち、上下拡散レンズ７４に直射した光及び付加リフレクタ７３の上下拡散用部分７３ｂによって反射されて上下拡散レンズ７４に向かった光は、上下拡散レンズ７４のフレネルステップ７４ａ、７４ａ、・・・によって偏向されて投影レンズ１０の後面１１に入射し、さらに、投影レンズ１０を透過して前方へ且つ上方へ向かって照射される。また、付加リフレクタ７３の左右拡散用部分７３ａで反射されたＬＥＤ７２の光は、水平方向ではほぼ平行に、また、上下方向では一旦集光した後、左右拡散レンズ７５のシリンドリカルステップ７５ａ、７５ａ、・・・によって左右方向に拡散されて前方へ照射される。なお、左右拡散レンズ７５をある程度上下拡散作用を成すように構成しても良い。
【００２８】
前記したように、クリアランスランプ部７０において、一つの光源７２の光の制御経路を左右拡散用と上下拡散用の２経路とすることによって、それぞれの方向にもっと適合した光の制御が可能になり、クリアランスランプに要求される条件を満たすことができる。例えば、左右方向においては、車輌の内側（図３の左方向）へ８０度、車輌の外側（図３の右方向）へ４５度の拡散角を得ることができ、上下方向においては、上方へ１５度の拡散角を得ることができる。
【００２９】
また、前記車輌用前照灯の灯具ユニット１にあっては、プロジェクター型灯具ユニットにおいてデッドスペースとなる下側部分を利用することによって、全体形状をさほど大きくすること無しに、灯具ユニットにクリアランスランプ部７０を一体的に組み込むことが可能になる。
【００３０】
なお、前記した実施の形態において示した各部の形状及び構造は、いずれも本発明を実施するに際して行う具体化のほんの一例を示したものにすぎず、これらによって本発明の技術的範囲が限定的に解釈されることがあってはならないものである。
【図面の簡単な説明】
【００３１】
【図１】図面は本発明車輌用前照灯の灯具ユニットを自動車用前照灯の灯具ユニットに適用した実施の形態を示すものであり、本図は概略正面図である。
【図２】図１のＩＩ−ＩＩ線に沿う概略縦断面図である。
【図３】図１のＩＩＩ−ＩＩＩ線に沿う要部の概略水平断面図である。
【符号の説明】
【００３２】
１…自動車用前照灯の灯具ユニット（車輌用前照灯の灯具ユニット）、１０…投影レンズ、２０…リフレクタ、４０…光源、７２…ＬＥＤ（付加光源）、７３…付加リフレクタ、７４…上下拡散レンズ、７５…左右拡散レンズ
【図１】
2008251244.tif 000003
【図２】
2008251244.tif 000004
【図３】
2008251244.tif 000005